【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
ボイスオーバーIP(VoIP)対応のモバイルデバイスで音声呼を発信するためのネットワークを選択するための方法であって、
ターゲットモバイルデバイスへの音声呼を開始するための入力を受信するステップと、
前記モバイルデバイスで、前記ターゲットモバイルデバイスのユーザプロファイルがVoIPネットワークに関連付けられたアプリケーションサーバに登録されているかどうかに基づいて、前記ターゲットモバイルデバイスがVoIP対応デバイスであるかどうかを判断するステップと、
前記ターゲットモバイルデバイスがVoIP対応デバイスであると判断したことに応答して、前記モバイルデバイスで、前記ターゲットモバイルデバイスが前記VoIPネットワーク上で通信するのに利用可能であるかどうかを判断するステップと、
前記ターゲットモバイルデバイスが前記VoIPネットワーク上で通信するのに利用可能であると判断したことに応答して、前記VoIPネットワーク上で前記音声呼を開始するステップと、
前記ターゲットモバイルデバイスが前記VoIPネットワーク上で通信するのに利用可能ではないと判断したことに応答して、回線交換(CS)ネットワーク上で前記音声呼を開始するステップと
を含む方法。
【請求項２】
前記モバイルデバイスで、前記ターゲットモバイルデバイスがVoIP対応デバイスであるかどうかを判断するステップが、前記モバイルデバイスのメモリに記憶された情報を使用して達成される、請求項1に記載の方法。
【請求項３】
前記モバイルデバイスで、前記ターゲットモバイルデバイスが前記VoIPネットワーク上で通信するのに利用可能であるかどうかを判断するステップが、前記ターゲットモバイルデバイスがVoIPネットワークサーバに登録されているかどうかを判断するステップを含む、請求項1に記載の方法。
【請求項４】
前記開始された音声呼が前記VoIPネットワーク上で確立されたかどうかを判断するステップと、
前記開始された音声呼が前記VoIPネットワーク上で確立されたと判断したことに応答して、前記ターゲットモバイルデバイスへの成功した呼の記録を前記モバイルデバイスに記憶するステップであって、前記記録が前記ターゲットモバイルデバイスのモバイルデバイス番号(MDN)および前記VoIPネットワークの識別情報を含む、ステップと
をさらに含む、請求項1に記載の方法。
【請求項５】
前記音声呼が前記VoIPネットワーク上で確立されなかったと判断したことに応答して、CSネットワーク上で前記音声呼を開始するステップをさらに含む、請求項4に記載の方法。
【請求項６】
前記音声呼が前記VoIPネットワーク上で確立されなかったと判断したことに応答して、呼失敗の理由が前記VoIPネットワークから受信されたかどうかを判断するステップと、
呼失敗の理由が前記VoIPネットワークから受信されたと判断したことに応答して、前記呼失敗の理由の中の情報に少なくとも部分的に基づいて、前記音声呼を開始するためにCSネットワークを選択するステップと
をさらに含む、請求項4に記載の方法。
【請求項７】
前記モバイルデバイスがボイスオーバーLTE(VoLTE)対応のモバイルデバイスであり、
前記ターゲットモバイルデバイスがVoIP対応デバイスであるかどうかを判断するステップが、前記ターゲットモバイルデバイスがVoLTE対応デバイスであるかどうかを判断するステップを含む、
請求項1に記載の方法。
【請求項８】
ローカルVoLTE連絡先リストを作成するステップをさらに含み、
前記ターゲットモバイルデバイスがVoLTE対応デバイスであるかどうかを判断するステップが、
前記ターゲットモバイルデバイスのモバイルデバイス番号(MDN)がユーザ連絡先として前記モバイルデバイスに保存されるかどうかを判断するステップと、
前記ターゲットモバイルデバイスの前記MDNがユーザ連絡先として前記モバイルデバイスに保存されていると判断したことに応答して、前記ターゲットモバイルデバイスの前記MDNが前記ローカルVoLTE連絡先リストに記憶されたMDNと一致するかどうかを判断するステップと
を含む、請求項7に記載の方法。
【請求項９】
前記ローカルVoLTE連絡先リストを作成するステップが、
前記モバイルデバイスに保存されたユーザ連絡先MDNをVoLTEネットワークに送るステップと、
前記VoLTEネットワークから、各ユーザ連絡先MDNに関連付けられたプロファイル情報を要求するステップと、
前記VoLTEネットワークから、各ユーザ連絡先MDNに関連付けられたプロファイル情報を受信するステップであって、VoLTE対応デバイスではないユーザ連絡先MDNの前記受信されたプロファイル情報がデータを含まない、ステップと、
前記受信されたプロファイル情報がデータを含むユーザ連絡先MDNのリストを前記モバイルデバイスに記憶するステップと
を含む、請求項8に記載の方法。
【請求項１０】
前記ターゲットモバイルデバイスがVoLTE対応デバイスであるかどうかを判断するステップが、
前記ターゲットモバイルデバイスの前記MDNが前記モバイルデバイスにユーザ連絡先として保存されていないと判断したことに応答して、VoLTEネットワークを識別する記憶された音声呼記録にアクセスするステップと、
前記ターゲットモバイルデバイスの前記MDNが、前記VoLTEネットワークによって識別された、記憶された音声呼記録に保存されているかどうかを判断するステップと
をさらに含む、請求項8に記載の方法。
【請求項１１】
前記モバイルデバイスで、前記ターゲットモバイルデバイスがVoLTE対応デバイスであるかどうかを判断するステップが、
前記ターゲットモバイルデバイスの前記MDNが、前記VoLTEネットワークによって識別された、記憶された音声呼記録に保存されていないと判断したことに応答して、前記モバイルデバイスでVoLTEアプリケーションを開始するステップと、
前記ターゲットモバイルデバイスの前記MDNをVoLTEアプリケーションサーバに送るステップであって、前記VoLTEアプリケーションサーバがデータストレージシステムに結合され、前記データストレージシステムが前記VoLTEネットワーク上の複数のモバイルデバイスのVoLTE登録情報を含む、ステップと、
前記VoLTEアプリケーションサーバから、前記ターゲットモバイルデバイスの前記MDNに関連付けられた情報を要求するステップと、
前記ターゲットモバイルデバイスの前記MDNに関連付けられた情報が前記VoLTEアプリケーションサーバから受信されたかどうかを判断するステップと
をさらに含む、請求項10に記載の方法。
【請求項１２】
前記ターゲットモバイルデバイスの前記MDNに関連付けられた情報が前記VoLTEアプリケーションサーバから受信されたと判断したことに応答して、前記VoLTEネットワーク上で前記音声呼を開始するステップをさらに含む、請求項11に記載の方法。
【請求項１３】
前記ターゲットモバイルデバイスの前記MDNに関連付けられた情報が前記VoLTEアプリケーションサーバから受信されなかったと判断したことに応答して、前記CSネットワーク上で前記音声呼を開始するステップをさらに含む、請求項11に記載の方法。
【請求項１４】
ターゲットモバイルデバイスへの音声呼を開始するための入力を受信するための手段と、
前記ターゲットモバイルデバイスのユーザプロファイルがVoIPネットワークに関連付けられたアプリケーションサーバに登録されているかどうかに基づいて、前記ターゲットモバイルデバイスがボイスオーバーIP(VoIP)対応デバイスであるかどうかを判断するための手段と、
前記ターゲットモバイルデバイスがVoIP対応デバイスであると判断したことに応答して、前記ターゲットモバイルデバイスが前記VoIPネットワーク上で通信するのに利用可能であるかどうかを判断するための手段と、
前記ターゲットモバイルデバイスが前記VoIPネットワーク上で通信するのに利用可能であると判断したことに応答して、前記VoIPネットワーク上で前記音声呼を開始するための手段と、
前記ターゲットモバイルデバイスが前記VoIPネットワーク上で通信するのに利用可能ではないと判断したことに応答して、回線交換(CS)ネットワーク上で前記音声呼を開始するための手段と
を備えるモバイルデバイス。
【請求項１５】
モバイルデバイスのプロセッサに、請求項1乃至13の何れか1項に記載の方法を実施させるように構成されたプロセッサ実行可能命令を記憶した非一時的プロセッサ可読記憶媒体。